(57)【特許請求の範囲】
【請求項１】
少なくとも前面に開口部を備えた箱体本体と、該箱体本体の前記開口部を被覆する扉体と、前記箱体本体内部の背面部に設けた各種機器を取り付けるための機器取り付けパネルとから成る電気機器収納用箱体の内部に取り付けられるメーターパネルのパネル支持金具であって、該パネル支持金具は平板状の平板部と、該平板部を折曲形成し、メーターパネルを取り付ける折曲片と、該折曲片の少なくとも一方の端部を前記平板部方向に折曲形成した荷重折曲片とで構成したことを特徴とするパネル支持金具。
【発明の詳細な説明】
【技術分野】
【０００１】
本発明は、電気機器収納用箱体の内部に取り付けられるメーターパネルのパネル支持金具に関するものである。
【背景技術】
【０００２】
従来、図５に示すようなパネル支持金具の強度を上げる一般的な方法としては部品の板厚を上げるか、平板部４１を折曲して形成した折曲片４２の幅を広くする方法がある。
【０００３】
特許文献１に記載されているメーターパネル支持装置では、金属板の折り曲げ構造としたパネル台を利用してメーターパネルを高さ調節可能に支持することができ、またパネル台は単一部品であるので部品点数を削減することができるとしている。
【０００４】
特許文献２に記載されているメーターパネル支持装置では、メーターパネルの開閉側のパネル支持具の螺子孔に第二の螺子を締め付け固定し、第二の螺子とメーターパネルの当たり面とがメーターパネル閉塞時に当接可能に形成したことにより、少ない部品点数で安価に製作することができるとしている。
【０００５】
特許文献３に記載されているメーターパネル支持装置では、両側のパネル支持板間を連結バーで連結するとともに、一方のパネル支持板の前端下部と他方のパネル支持板の前端上部とに外側に向けて突出量が調整可能に調整ネジを設け、調整ネジの先端が水切り片に当接するようにしたため、パネル支持板の取り付け位置が多少ずれた場合やメーターパネルに重量物が取り付けられた場合でもパネル支持板の変形を防止することができ、また、パネル支持板の折り曲げ片の大部分をなくして機器取り付けパネルの機器取り付け有効スペースを拡大することができるとしている。
【特許文献１】特許第２６５３７６５号
【特許文献２】特開２０００−３５８３０７
【特許文献３】特開２００６−２９６０５２
【発明の開示】
【発明が解決しようとする課題】
【０００６】
しかしながら、特許文献１に記載の発明では、強度を上げる際には板厚を上げるか金具を折曲して形成した折曲片の幅を広くする必要があり、又、部品数が多くなるため、これに伴ってコストが発生するという欠点があった。
【０００７】
又、特許文献２に記載の発明でも、強度を上げる際には板厚を上げるか金具を折曲して形成した折曲片の幅を広くする必要があり、これに伴ってコストが発生するという欠点があった。
【０００８】
又、特許文献３に記載の発明では金具に施す加工数が増え、必要となる部品数も増えるためにコストが発生するという欠点があった。
【０００９】
このため、本発明によって解決しようとする課題は、電気機器収納用箱体の内部に取り付けられるメーターパネルのパネル支持金具において、板厚を上げてコストを発生させることも、金具を折曲して形成した折曲片の幅を広くして中板の取付スペースを圧迫することもないものであって、且つ、少ない部品数で構成されるパネル支持金具を提供することである。
【課題を解決するための手段】
【００１０】
上記した課題を解決するためになされた本発明のパネル支持金具は、金具を折曲して形成した折曲片の少なくとも一方の端部を折曲形成するものである。
【発明の効果】
【００１１】
本発明のパネル支持金具は以上に説明したように、金具を折曲して形成した折曲片の少なくとも一方の端部を折曲形成する構成であるため、コストをあげることも中板の取付スペースを圧迫することもなく、パネル支持金具の強度を確保できる。
【００１２】
又、部品数が少ないためコストを抑えることが可能である。
【発明を実施するための最良の形態】
【００１３】
本発明では、メーターパネルのパネル支持金具を、コストを上げることも中板の取付スペースを圧迫することもなく構成可能とした。
【実施例１】
【００１４】
以下、本発明の実施の形態を説明する。
電気機器収納用箱体の内部に取り付けられるメーターパネルのパネル支持金具であって、パネル支持金具は平板状の平板部１と、平板部１を折曲形成し、メーターパネルを取り付ける折曲片２と、折曲片２の少なくとも一方の端部を折曲形成した荷重折曲片３を折曲して平板部方向に略コ字状に形成することで、板厚を上げることも、金具を折曲形成した折曲片２の幅を広くすることもなくパネル支持金具の強度を上げることができる。
【実施例２】
【００１５】
電気機器収納用箱体の内部に取り付けられるメーターパネルのパネル支持金具であって、パネル支持金具は平板状の平板部１１と、平板部１１を折曲形成し、メーターパネルを取り付ける折曲片１２と、折曲片１２の少なくとも一方の端部を折曲形成した荷重折曲片１３を折曲して略Ｚ字状に形成することで、板厚を上げることも、金具を折曲形成した折曲片１２の幅を広くすることもなくパネル支持金具の強度を上げることができる。
【実施例３】
【００１６】
電気機器収納用箱体の内部に取り付けられるメーターパネルのパネル支持金具であって、パネル支持金具は平板状の平板部２１と、平板部２１を折曲形成し、メーターパネルを取り付ける折曲片２２と、折曲片２２の少なくとも一方の端部を折曲形成した荷重折曲片２３を折曲して略６字状に形成することで、板厚を上げることも、金具を折曲形成した折曲片２２の幅を広くすることもなくパネル支持金具の強度を上げることができる。
【実施例４】
【００１７】
電気機器収納用箱体の内部に取り付けられるメーターパネルのパネル支持金具であって、パネル支持金具は平板状の平板部３１と、平板部３１を折曲形成し、メーターパネルを取り付ける折曲片３２と、折曲片３２の少なくとも一方の端部を折曲形成した荷重折曲片３３を折曲する。このパネル支持金具を電気機器収納用箱体に組み込んだ際に背面３４を荷重折曲片３３にまで及ぶように形成することで板厚を上げることも、金具を折曲して形成した折曲片３２の幅を広くすることもなくパネル支持金具の強度を上げることができる。
【００１８】
以上のように、本発明のパネル支持金具は、平板部を折曲形成した折曲片と、折曲片の少なくとも一方の端部を折曲形成した荷重折曲片とで構成するため、板厚を上げることも、金具を折曲して形成した折曲片の幅を広くすることもなく強度を上げることができる。
【図面の簡単な説明】
【００１９】
【図１】本発明の実施の形態における、コ字状の折曲片の斜視図である。
【図２】本発明の実施の形態における、Ｚ字状の折曲片の斜視図である。
【図３】本発明の実施の形態における、６字状の折曲片の斜視図である。
【図４】本発明の実施の形態における、支持金具配置時に荷重折曲片を支持金具の背面となる面で被せた斜視図である。
【図５】従来のパネル支持金具の斜視図である。
【符号の説明】
【００２０】
１、１１、２１、３１、４１    平板部
２、１２、２２、３２、４２    折曲片
３、１３、２３、３３    荷重折曲片
３４    背面
【図１】
0005051715.tif 000002
【図２】
0005051715.tif 000003
【図３】
0005051715.tif 000004
【図４】
0005051715.tif 000005
【図５】
0005051715.tif 000006